(57)【要約】【課題】デジタルテレビにおける画像表示アプリケーションとテレビ視聴との切り替え操作を容易にし、またテレビで画像表示アプリケーションを操作する際の操作性を改善することを課題とする。【解決手段】テレビジョン信号を受信する受信手段と、所定のアプリケーションを実行するアプリケーション実行手段と、テレビジョン信号受信装置に外部記録媒体を接続するための接続手段と、テレビジョン信号受信装置に外部記録媒体が接続されたときに、視聴中の番組が視聴予約された番組でない場合は、アプリケーション実行手段に所定のアプリケーションを実行させ、視聴中の番組が視聴予約された番組である場合は、アプリケーション実行手段に所定のアプリケーションを実行させないように制御する制御手段とを備えるテレビジョン信号受信装置が提供される。【選択図】        図１
2008193731.tif 000002
【特許請求の範囲】
【請求項１】
テレビジョン信号を受信する受信手段と、
所定のアプリケーションを実行するアプリケーション実行手段と、
テレビジョン信号受信装置に外部記録媒体を接続するための接続手段と、
前記テレビジョン信号受信装置に前記外部記録媒体が接続されたときに、視聴中の番組が視聴予約された番組でない場合は、前記アプリケーション実行手段に前記所定のアプリケーションを実行させ、視聴中の番組が視聴予約された番組である場合は、前記アプリケーション実行手段に前記所定のアプリケーションを実行させないように制御する制御手段と、を備えるテレビジョン信号受信装置。
【請求項２】
前記制御手段は、前記テレビジョン信号受信装置に前記外部記録媒体が接続されたときに、視聴中の番組が視聴予約された番組である場合は、前記所定のアプリケーションを実行させるためのアイコンを表示させることを特徴とする請求項１に記載のテレビジョン信号受信装置。
【請求項３】
前記制御手段は、前記所定のアプリケーションを実行させるためのアイコンを所定時間表示させた後、該アイコンを非表示にすることを特徴とする請求項２に記載のテレビジョン信号受信装置。
【請求項４】
テレビジョン信号を受信するテレビジョン信号受信装置の制御方法であって、
所定のアプリケーションを実行するアプリケーション実行ステップと、
前記テレビジョン信号受信装置に外部記録媒体を接続する接続ステップと、
前記接続ステップで前記テレビジョン信号受信装置に前記外部記録媒体が接続されたときに、視聴中の番組が視聴予約された番組でない場合は、前記アプリケーション実行ステップで前記所定のアプリケーションを実行させ、視聴中の番組が視聴予約された番組である場合は、前記アプリケーション実行ステップで前記所定のアプリケーションを実行させないように制御する制御ステップと、を備える制御方法。
【請求項５】
前記制御ステップは、前記テレビジョン信号受信装置に前記外部記録媒体が接続されたときに、視聴中の番組が視聴予約された番組である場合は、前記所定のアプリケーションを実行させるためのアイコンを表示させることを特徴とする請求項４に記載の制御方法。
【請求項６】
前記制御ステップは、前記所定のアプリケーションを実行させるためのアイコンを所定時間表示させた後、該アイコンを非表示にすることを特徴とする請求項５に記載の制御方法。
【請求項７】
請求項４から請求項６までのいずれか一項に記載の制御方法の各ステップをコンピュータに実行させるためのプログラムを記録したコンピュータ読み取り可能な記録媒体。
【発明の詳細な説明】
【技術分野】
【０００１】
本発明はテレビジョン信号受信装置の機能操作技術に関するものであり、さらに詳しく言えばさまざまな機能を持ったテレビジョン信号受信装置における機能操作技術に関するものである。
【背景技術】
【０００２】
近年、映像を放送衛星、通信衛星などを介してテレビジョン放送信号をデジタル化して伝送し、各家庭においてこれを受信するシステムが運用されている。このシステムにおいては例えば１００以上のチャンネルを確保することが可能であるため、極めて多くの種類の番組を放送することができる。このようなシステムにおいては、伝送可能な番組の数が増えるため、所望の番組を選択するための電子番組ガイド（EPG：Electric Program Guide）を他の映像データ等と共に送信し、これをモニタ装置において表示し、表示された電子番組ガイドを用いて所望の番組を選択することが可能である。
【０００３】
一方インターネットなどのインフラの普及により、家庭においてもＷＷＷ(World Wide Web)の閲覧を行ったり電子メールを送受信したりしたいというネットワーク機能のニーズが確実に高まってきている。また、デジタルカメラなどの画像を表示するマルチメディア機能に対してもニーズが高まっている。そしてテレビ画面において、複数の番組やAV機器からの映像を多画面で表示するような提案もされている。このようなテレビの場合には使用者がリモコンのボタンを操作することにより、画面を選択したり、接続した機器を遠隔操作したりしたいというニーズも高まっている。
【０００４】
一方で近年高機能テレビにおけるリモコンボタンの多さを面倒に思う使用者も少なからずおり、前述のようなマルチメディア機能やネットワーク機能をボタンの数をむやみに増やすことなく操作したいというニーズも高まっている。
【０００５】
上記ニーズにこたえるために、テレビジョン信号受信装置におけるGUI（Graphical User Interface）を改良する提案が従来からなされており、例えば特開平１１−１５０６９２において、メニュー階層構造を二次元的に表示することで、複雑なメニュー階層の全体構成をユーザーが把握しやすくする提案をしている。
【０００６】
【特許文献１】特開平１１−１５０６９２号公報
【特許文献２】特開２０００−８３１９１号公報
【発明の開示】
【発明が解決しようとする課題】
【０００７】
しかしながら、特開平１１−１５０６９２の提案する技術では、電子番組ガイドのカテゴリ変更などの操作を行う際は比較的少ない手間で行えるものの、ユーザーが全く別のカテゴリの機能もしくはアプリケーションを利用しようとした場合に、必ずメニューキーもしくはそれに準じるキーを押し、表示されるメニュー項目を何階層か移動して、所望の機能の画面に切り替える必要がある。この方式は特にその機器の操作になれていないユーザーにとってはわかりやすい面があるものの、実際に利用していく上では表示されたメニューを見ながらカーソルを上下左右に頻繁に動かす操作をその都度行うことに対して煩わしく感じることも少なからずある。
【０００８】
例えばデジタルカメラで撮影した画像を閲覧するアプリケーションを表示している途中に視聴希望の番組が始まりテレビ番組表示を開始して、コマーシャルの間だけまた再び画像閲覧を開始するといった使い方の場合、アプリケーションに戻るためにメニューキーから順に機能を選択する必要があった。また例えばリモコンに「一発ジャンプ」などのキーを設け、あらかじめ設定された機能にワンボタンで移行する提案などもあるが、多くの場合予め設定が必要であり、機能が増えていくようなテレビ受信装置においては効果が少ない。
【０００９】
一方、発生したイベントに応じて自動的に画面を切り替えてユーザーの操作の手間を減らす試みも従来からなされている。例えば特開２０００−８３１９１において、メモリカードが接続されたことを検出してテレビ画面に自動的に画像を表示するデジタル画像編集装置を提案しているが、この提案はデジタル画像編集装置という単一機能の機器としては、簡単に画像が表示されて便利になるものの、さまざまな機能を持ったテレビ受信装置として同様の動作をさせると、番組視聴の妨げになる場合もあるなど、更なる技術を必要としていた。
【００１０】
本発明は前述の如き問題を解決するためになされたものであり、テレビ番組の再生だけでなく、マルチメディア機能などさまざまな機能を有したテレビジョン信号受信装置におけるユーザーインターフェースを改善し、ユーザーの所望の情報選択や操作を単純かつ容易な操作で実現することを目的としている。
【課題を解決するための手段】
【００１１】
本発明に係るテレビジョン信号受信装置は、テレビジョン信号を受信する受信手段と、所定のアプリケーションを実行するアプリケーション実行手段と、テレビジョン信号受信装置に外部記録媒体を接続するための接続手段と、テレビジョン信号受信装置に外部記録媒体が接続されたときに、視聴中の番組が視聴予約された番組でない場合は、アプリケーション実行手段に所定のアプリケーションを実行させ、視聴中の番組が視聴予約された番組である場合は、アプリケーション実行手段に所定のアプリケーションを実行させないように制御する制御手段とを備える。
【００１２】
本発明に係るテレビジョン信号受信装置の制御方法は、テレビジョン信号を受信するテレビジョン信号受信装置の制御方法であって、所定のアプリケーションを実行するアプリケーション実行ステップと、テレビジョン信号受信装置に外部記録媒体を接続する接続ステップと、接続ステップでテレビジョン信号受信装置に外部記録媒体が接続されたときに、視聴中の番組が視聴予約された番組でない場合は、アプリケーション実行ステップで所定のアプリケーションを実行させ、視聴中の番組が視聴予約された番組である場合は、アプリケーション実行ステップで所定のアプリケーションを実行させないように制御する制御ステップとを備える。
【００１３】
本発明に係る記録媒体は、上記制御方法の各ステップをコンピュータに実行させるためのプログラムを記録したコンピュータ読み取り可能な記録媒体である。
【発明の効果】
【００１４】
以上説明したように、本発明によれば、テレビ番組の再生だけでなく、さまざまなアプリケーション機能を有したテレビジョン信号受信装置におけるユーザーインターフェースを改善し、ユーザーの所望の情報選択や操作を単純かつ容易な操作で実現することができる。
【発明を実施するための最良の形態】
【００１５】
［各部の説明］
まず、本発明の第１の実施形態について説明する。図１は本実施形態が適用されるデジタルテレビ受信装置１００の構成を示した図である。
【００１６】
図１において、不図示のアンテナにより受信された信号はチューナ部１０１に入力される。チューナ部１０１は、入力された信号に対して、復調、誤り訂正等の処理を施し、トランスポートストリームと呼ばれる形式のデジタルデータを生成する。更に、生成したトランスポートストリーム（ＴＳ）データをデスクランブラ１０２に出力する。
【００１７】
デスクランブラ１０２は、視聴制限のためのスクランブルがかけられているＴＳデータがチューナ部１０１より入力された場合、ＴＳデータに含まれるデスクランブルの為の鍵情報とＩＣカード制御部１１７より出力される鍵情報とに基づいて、スクランブル解除を行い、デマルチプレクサ１０３に出力する。
【００１８】
ここで、ＩＣカード制御部１１７は、ユーザーの契約情報およびＴＳデータに含まれるデスクランブラの為の鍵情報を解く為の鍵情報が格納されているＩＣカードを含み、デスクランブラ１０２より入力されたデスクランブルのための鍵情報を解く為の鍵情報があった場合、その鍵情報をデスクランブラ１０２に出力する。
【００１９】
また、デスクランブラ１０２は、チューナ部１０１よりスクランブルがかけられていないＴＳデータを入力した場合にはＴＳデータをそのまま、デマルチプレクサ１０３に出力する。
【００２０】
デマルチプレクサ１０３は、デスクランブラ１０２より入力された複数チャンネル分の映像、音声データ、および電子番組ガイド（ＥＰＧ）データ、データ放送データ等が時分割多重化されているＴＳデータの中から、操作部１１４もしくはリモコン１１６の操作により選択されたチャンネルにおいて、現在放送中の番組に係る映像データＤ１および音声データＤ２を取り出し、それぞれをビデオデコーダ１０４、オーディオデコーダ１０５に出力する。また、デマルチプレクサ１０３は、前述のＴＳデータよりデータ放送／ＥＰＧデータＤ３を取り出し、データストリーム処理部１０６に入力する。データストリーム処理部１０６によって処理されたデータ放送／ＥＰＧデータはＣＰＵ１１８に接続されているバス１２０を介してメモリ１０７に取り込まれ、後述するＣＰＵによるソフトウェア処理の後にハードディスク１２３に格納される。
【００２１】
また、ＴＳデータはパケット単位で伝送され、パケットの先頭部分にはＰＩＤ(Packet Identification)が付加されている。デマルチプレクサ１０３はこのＰＩＤを読み取ることで、映像データＤ１、音声データＤ２、データ放送／ＥＰＧデータＤ３の識別を行う。
【００２２】
まず、映像データについて説明する。ビデオデコーダ１０４はデマルチプレクサ１０３より入力されたＤ１に対して、ＭＰＥＧ２のデコード処理を施し、復号した映像データを表示制御部１０９に出力する。表示制御部１０９はビデオデコーダ１０４もしくはリモコン１１６の操作に応じて画面を切り替えたり、多重化したりして画像表示部１１２に表示させる。ここで、画面構成部１０８については後述する。また、画面表示部１１２は不図示のモニタおよび映像信号入力端子を含む。
【００２３】
次に音声データについて説明する。オーディオデコーダ１０５はデマルチプレクサ１０３より入力された音声データＤ２に対して、ＭＰＥＧ２のデコード処理を施し、復号した音声データをＤＡＣ１１０に出力する。ＤＡＣ１１０は、オーディオデコーダ１０５より入力された音声データに対して、Ｄ／Ａ変換の処理を施し、音声出力部１１３に出力する。また、音声出力部１１３は不図示のスピーカおよび音声信号入力端子を含む。
【００２４】
次に、データ放送／ＥＰＧデータＤ３について説明する。電子番組ガイド（ＥＰＧ）データは社団法人  電波産業会（通称ＡＲｉＢ）における標準規格「デジタル放送に使用する番組陳列情報」等で規定されるデータ構造で伝送される。主な構成データとして、編成チャンネルの名称、放送事業社の名称など、編成チャンネルに関する情報を伝送するＳＤＴ(Service Description Table)、番組の名称、放送開始日時、内容の説明など、番組に関する情報を伝送するＥＩＴ(Event Information Table)などが挙げられる。
【００２５】
画面構成部１０８はＣＰＵ１１８によって処理されたデータに基づいて映像信号を表示制御部１０９に出力する。表示制御部１０９は前述の如く、映像画面、データ放送画面等の切換、合成表示をするべく画像表示部１１２に対して映像信号を出力する。
【００２６】
バス１２０には更にＩＥＥＥ１３９４インターフェース１２２およびモデムが接続されており、ＩＥＥＥ１３９４インターフェース１２２は本テレビ受信装置１００が外部に接続されたＶＴＲ２０１やプリンタ２０２とプロトコル通信を行う為に用いられる。ＶＴＲ２０１との通信プロトコルはＡＶ／Ｃプロトコルを用いており、主に本テレビ受信装置１００からＶＴＲ２０１に対しての「再生」「停止」「録画」などの制御コマンドを送信する為に用いる。また、プリンタ２０２に対してはＳＢＰ(Serial Bus Protocol)２を用いており、主に本テレビ受信装置１００からプリンタ２０２に対して印刷データを送信する為に用いる。またモデム１２１は電話回線経由でインターネット接続する為に用いられる。
【００２７】
１２４は拡張カードスロットであり、リムーバブルメモリカード等を接続し、本実施形態においてはデジタルカメラとのデータのやり取りを行うために使用される。
【００２８】
また、リモコン１１６の例を図２に示す。ただし本図は本実施形態を説明する為に必要な機能を実現するための操作を行うボタンのみを表すものであり、実際の受信装置に必要なボタンはこの限りでない。
【００２９】
図２において、２０１はリモコン１１６と図１の受光部１１５との赤外線通信を行うための発光部、２０２は電源をＯＮ／ＯＦＦする為の電源キー、２０３はスティック上のカーソルキーであり、上下（前後）左右に傾けることにより、４方向のカーソル移動入力となり、スティック自体を押し込むことにより「決定」入力となるものである。
【００３０】
２０４は「機能キー」、２０５は表示の切り替えを行う「表示キー」、２０６はマトリクス状にならんだ数字キー、２０７はメニュー画面を表示する為のメニューボタンである。
【００３１】
２０８はUp、Down２つのキーからなるUp/Downキーである。２０９はカラーキーであり、青、赤、緑、黄の４色のボタンが横一列に並んでいる。
【００３２】
また、ＣＰＵ１１８はプログラム実行装置を持ち、チャンネル選択、電源ＯＮ等の各操作スイッチを有する操作部１１４もしくはリモコン１１６の操作に応じて、チューナ部、デスクランブラ１０２、デマルチプレクサ１０３、各デコーダ部１０４〜１０６、画面構成部１０８、表示制御部１０９、ＤＡＣ１１０を制御する。
【００３３】
図３にＣＰＵ１１８で動作する制御ソフトウェアの構成を示す。図３において、（ｂ）〜（ｉ）の各制御ソフトは図１の各処理回路を制御するインターフェースソフト（ドライバソフト）である。また(a)および（ｊ）〜（o）はＣＰＵ１１８で動作するアプリケーションソフトである。
【００３４】
図中（ｊ）の電子メールアプリケーションはモデム制御ドライバ(ｉ)を介してモデム１２１を制御し、インターネットプロバイダとの接続を行い、電子メールサーバとの電子メールの送受信を行うものである。
【００３５】
（ｋ）の電子番組（プログラム）ガイドは、前述のようにチューナ部、Demux部、データストリーム処理部を制御して受信したＥＰＧデータに基づき、現在放送中のテレビ番組表を表示し、ユーザーチャンネル選びの補助をしたり、将来放送される番組の情報を表示し、録画予約を行ったりするアプリケーションである。
【００３６】
また、(l)のＷＷＷブラウザソフトはモデムを介してインターネット接続をした上で、HTMLまたはXMLで記述されたテキストおよびデータを受信しホームページなどの情報を表示するアプリケーションである。
【００３７】
(o)データ放送アプリケーションは、前述のようにチューナ部、Demux部、データストリーム処理部を制御して受信したデータを画面に表示するアプリケーションである。
【００３８】
(m)の画像ビューア・アプリケーションは、拡張カードスロットに接続されたメモリカードの画像データまたは動画像データを読み出し、表示、印刷などを行うアプリケーションである。
【００３９】
(n)のＶＴＲ制御アプリケーションは、IEEE1394を介して接続されたＶＴＲ２０１の操作パネルを表示し、ユーザーが制御パネルに表示されたボタンなどへカーソルを移動し、選択キーを押すことで、対応するＡＶ／Ｃコマンドを、IEEE1394を介して送信し遠隔操作するアプリケーションである。制御パネルには「再生」「停止」「巻き戻し」「早送り」の４つのボタンが表示され、例えば、再生のボタンにカーソルでフォーカスを移動し、決定キーを押すことで、ＶＴＲに対して「PLAY」というＡＶ／Ｃコマンドが送信される。
【００４０】
［処理動作説明］
次にＣＰＵ１１８の動作について詳細に説明する。
（メインメニュー）
本実施形態におけるデジタルテレビ受信装置は電源投入後に図４ａに示すように現在放送中のテレビ番組が画面全体に表示されており、ユーザーはリモコンのメニューキーを押すことで図４ｂに示すような第1階層のメニュー項目を表示することができる。画面には「番組ガイド」「インターネット」「メディア」の３つの項目が並んでいる。
【００４１】
また、図４ｂの状態でユーザーがリモコンのカーソルキーを操作して項目を選択し、決定キーを押すと画面は図４ｃ〜ｅに示すような第2階層のメニュー項目が表示される。
【００４２】
例えば図４ｂの状態でユーザーが番組ガイドを選択すると図４ｃに示すように、「現在コンテンツ」「番組表（これからの番組）」というメニュー項目が表示され、また図４ｂの項目の中からインターネットを選択すると、図４ｄに示すように、「電子メール」「ＷＷＷブラウザ」という第2階層のメニュー項目が表示される。
【００４３】
また図４ｂの項目の中からメディアを選択すると、図４ｅに示すように、「ＶＴＲ制御」「画像ビューア」という第2階層のメニュー項目が表示される。
【００４４】
さらにユーザーがカーソルを操作して表示された項目を選択し、決定キーを押した場合は選択した機能が実行される、もしくは選択したアプリケーションの画面に切り替わるなどの動作をする。
【００４５】
なお、図４ｃ〜ｅのメニュー表示がされた直後で、ユーザーがカーソルキーを操作せず、再び決定キーを押した場合には、再度図４ｂのメニューが表示される。
【００４６】
（画像ビューアの基本動作）
次に画像ビューア・アプリケーションにおける動作について、フローチャートを用いて説明する。
【００４７】
まず、図５は前述のメニューを介して画像ビューア・アプリケーションが開始された場合のフローチャートである。テレビ視聴中にユーザーがメニューキーを押して図４ｂのメニューを表示させ、さらにカーソルキーで「メディア」−＞「画像ビューア」と選択・決定をすることで画像ビューア・アプリケーション（単独モード）が開始される。画像ビューアではまず後述するUp/Downリストへの登録処理が行われた後（Ｓ５−１）、図６ａに示すようなアプリケーション起動画面（サムネイル表示）が表示される（Ｓ５−２）。画像ビューア・アプリケーションの起動画面では、メモリカードに保存された複数の画像データが読み出され、マトリクス状に表示される。この状態、つまりユーザーがまだカーソルキーなどの他のキーを押す前に再び決定キーを押すと、図４ｅのメニュー画面に戻る（Ｓ５−４）。
【００４８】
そして図６ａの状態でユーザーがカーソルを操作するとマトリクス表示された画像の何れかがハイライト表示され、カーソルキーによって画像を選択することができるようになる。ここで決定キーを押すと、図６ｂに示すように選択画像が大きく表示される（一枚表示画面）（Ｓ５−５、Ｓ５−６）。この状態でユーザーが再び決定キーを押すと、図６ａの画面に戻る（Ｓ５−６）。
【００４９】
（アクセス番号）
本実施形態のデジタルテレビ受信装置においては、図６ａに示すようにマトリクス表示された各縮小画像の脇に「アクセス番号」と呼ぶ数字が表示されており、リモコンでユーザーが見たい画像に対応する数字キーを入力し、決定キーを押すと、図６ｂに示すようにその画像が直接大きく表示される（Ｓ５−１６、Ｓ５−１８）。
【００５０】
（機能キーの動作）
ユーザーが図６ａに示す状態でリモコンの「機能キー」を押すと（Ｓ５−１０）、図７ａに示すような機能メニューが表示される（Ｓ５−１１）。この機能メニューは左から青、赤、緑、黄色の４色のアイコンが４つ横に並んだもので、リモコンのカラーキーの配列と一致している。各アイコンには機能内容が書かれており、「回転」「消去」「複製」「終了」というサムネイル画面用の機能項目が表示される。ユーザーが実行したい機能の色のボタンを押すと対応する処理を実行する（Ｓ５−１４）。図７ｂは図７ａの状態から、ユーザーがカラーキーの中の青キー（画像回転機能）を押した場合の表示例を示している。図では選択中の画像（（5)）が回転処理された様子を示している。
【００５１】
（カラーキー操作による終了）
この機能メニューを表示した状態で「終了」（図７では黄色キー）が選択されると（Ｓ５−１３）、後述するUp/Downリストからの削除処理が実行され（Ｓ５−１３）、画像ビューア・アプリケーションは処理を終了する。
【００５２】
（カラーキー操作による画像操作）
一方、ユーザーが図６ｂに示す状態でリモコンの「機能キー」を押すと、図１６に示すような機能メニューが表示される。機能メニュー中の各アイコンには「拡大」「印刷」「画質調整」「その他」というスライド画面用の機能項目が表示される。
【００５３】
図１７は画像ビューア実行時の機能メニュー表示処理の動作を示したフローチャートである。
【００５４】
同図に示したように、機能キーによって表示される機能メニュー、つまりカラーキーに対応する機能の割り当ては、画像ビューア・アプリケーションの状態によって異なるように制御される（Ｓ１７−３、Ｓ１７−４、Ｓ１７−５）。ステップＳ１７−１で機能メニューが表示中か否かをチェックする。表示中であればステップＳ１７−２で機能メニューを消去する。表示中でなければ、ステップＳ１７−３でサムネイル画像か否かをチェックする。サムネイル画像であれば、ステップＳ１７−５でサムネイル画面用機能メニューを表示する（表示例：図７ａ）。サムネイル画像でなければ、ステップＳ１７−４で一枚表示画面用機能メニューを表示する（表示例：図１６）。
【００５５】
（表示キーによるＴＶ見ながら画面との切換、アクセス番号を非表示に）
ユーザーが図６ａまたはｂに示す状態でリモコンの表示キーを押すと、図８に示すようなテレビ画面と画像ビューア・アプリケーション画面の同時表示モードとなる（Ｓ５−９）。同時表示モード時のアプリケーション動作を図９に示す。
【００５６】
単独モードから同時表示モードに移行する場合図９中(2)から処理が開始される。
同時表示モードでは単独画面の時と同様にカーソルキーで画像を選択し、決定キーを押すことで図８ｂのように画像を全体に大きく表示することができるが、一方で同時表示モードにおいては図８ａに示すように前述のアクセス番号の表示は行われず（Ｓ９−１７）、ユーザーがリモコンの数字キーを入力しても画像が表示されることはない。その代わり数字キーの入力は直接テレビ画面のチャンネルを選択することになる（Ｓ９−１６）。
【００５７】
（Up/Downリストへの登録）
次に前述のUp/Downリストの登録処理について説明する。Up/DownリストはユーザーがリモコンのUpまたはDownボタンを操作した際に、次に表示する画面を示したリストであり、ＧＵＩソフトウェアがデジタルテレビ受信装置の起動時にメモリ上に作成する（処理フローは図示せず）。
【００５８】
図１０はUp/Downリストの内容を示した図である。テレビジョン信号受信装置の電源オン直後では図中ａのように受信可能なテレビチャンネルがリストに登録される。ユーザーがテレビ視聴中にUp/Downボタンを押すと、ＧＵＩソフトウェアの処理によってこのリストに従ってチャンネル切換が行われる。図中resumeと示した項にはＧＵＩソフトウェアが呼び出す関数が登録されている。例えばVHF1を表示中にUpキーを押すとFullTV(3)という関数が呼び出され、画面の表示はVHF3に切り替わる。以後Upキーを押す度にVHF4…BS5->VHF1という順番でチャンネルが切り替わる。反対にDownキーを連続して押すとVHF1-> BS5…VHF3->VHF1という順番でチャンネルが切り替わる。
【００５９】
そして、前述のようにユーザーがテレビ視聴中にメニューキーを押し、それからカーソルを操作して画像ビューアの実行を開始すると、図５のＳ５−１の処理が実行され、図１０ｂに示すようにリストに画像ビューアの情報が登録される。リスト中resumeと示した項には、アプリケーションが再び表示される際にＧＵＩソフトウェアが呼び出すべき関数を登録する。
【００６０】
（Up/Downキーの動作）
例えばテレビのBS5が表示されている状態でUpキーが押されたときには、図１０ｂのリストに従い、View#wakeup()という関数が呼び出される。図５では(3)で示した部分がこれに相当する。
【００６１】
また画像ビューア（単独モード）表示中にUp/Downキーが押された場合には、図５のＳ５−８に示す処理によって画面切り替えが行われる、例えばリストが図１０ｂの状態であればＵｐキーを押すとVHF1が表示され、以後押される度にＧＵＩソフトウェアの処理によってVHF1->VHF3->VHF4…BS5->画像ビューアと画面全体が切り替わる。またDownキーが押されとBS5に切り替わり、以後BS5->BS4…VHF1->画像ビューアという順番で画面全体が切り替わる。
【００６２】
（アプリ終了でリストから削除）
一方、前述のようにユーザーが画像ビューアを操作中に機能キーを押して、アプリケーションの終了を選択・決定した場合は図５のＳ５−１３の処理、または図９のＳ９−１３の処理で画像ビューアの情報がUp/Downリストから削除される。
【００６３】
（一定時間でリストから削除）
また図１０でTimeと示した項の数字は登録された画像ビューアなどのアプリケーションを自動的に削除するまでの時間を示しており、この例では２５分後に削除されることを示している。
【００６４】
図１１は定期的に起動されるUp/Downリスト更新処理を示したフローチャートである。本実施形態では１分毎に実行される。この処理では図１０に示すリストのTimeの項に記録された数値から１を引き（Ｓ１１−１）、０になった場合（Ｓ１１−２）にそのアプリケーションをリストから削除する（Ｓ１１−３）。例えば図１０ｂにおける画像ビューアのTime項が０になると、画像ビューアはリストから削除され、図１０ａの状態に変わる。
【００６５】
なお、各アプリケーションのTimeの値はアプリケーションから再設定することができる。アプリケーションのメインループ処理の中、（図５のＳ５−１５、もしくは図９のＳ９−１５）において、Timeの値を初期値（例えば「２５」）に設定することで、アプリケーション実行中は図１１に示す処理によってリストから削除されることを防いでいる。
【００６６】
（ＴＶ中にカード挿入した場合の動作）
次に図４ａに示すようなテレビ番組視聴中にユーザーによってメモリカードが挿入された場合の動作について述べる。
【００６７】
図１２（フローａ）はメモリカード挿入時の処理のＧＵＩソフトウェアの流れを示すフローチャートである。テレビ視聴中にメモリカードを挿入すると、カード挿入イベントが発生する。そしてこのイベントによって行われる処理では、現在表示中の番組がユーザーによって視聴予約された番組であるかが確かめられる（Ｓ１２−１）。現在表示中のテレビ番組が視聴予約されたものでない場合には、テレビ受信装置自体の電源投入からの時間が読み出され、一定値以下、つまり電源投入から一定時間内であったならば（Ｓ１２−２）、即座に図９に示す処理をステップＳ９−１より実行し同時表示モードで実行して（Ｓ１２−３）、図８ａのようなマトリクス表示画面へ移行する。
【００６８】
また、一定時間を過ぎていたならば、図１３ａ（図中０００）に示すように画面の一部にアイコンの表示を行う（Ｓ１２−４）。この状態でユーザーがカーソルをいずれかの方向に操作すると図１３ｂに示すようにアイコンがハイライト表示される（図中００１）。
【００６９】
図１４は画像ビューアのアイコン表示の処理を示したフローチャートである。アイコンが表示された直後はメモリカードに保存されている画像の一枚目の画像が図中０００の部分に縮小表示されている（Ｓ１４−１）。カーソルによってアイコンが選択されアイコンがハイライト表示されている状態では（Ｓ１４−２）、アイコンはサムネイルアニメーション動作となりメモリカードに保存されている画像データを一定時間毎に順番に読み出して１枚ずつ縮小表示していく（Ｓ１４−３）。
【００７０】
そして、この状態でユーザーが決定キーを押すと（Ｓ１４−５）、図８ａに示す画像ビューアの同時表示となる。なお一定時間内に決定キーが押されなかった場合には、アイコンは消去される（Ｓ１４−６、Ｓ１４−７）。
【００７１】
（アイコン選択後の決定キー）
前述のようにテレビ視聴中アイコンが表示され、それをカーソルキーで選択・決定を行った場合、図９のステップＳ９−１の処理から実行が行われ、図８ａに示したようなアプリケーション画面に移行する。アプリケーション画面の初期状態では、未だいずれの画像もハイライト表示されておらず、この状態で再び決定キーを押すと図１３ｂのアイコンが表示されたテレビ画面に戻る（図９のＳ９−４）。
【００７２】
（カードが抜かれた場合の処理）
図１２（フローｂ）はテレビ視聴中にメモリカードが抜かれた時のＧＵＩソフトウェアの処理を示すフローチャートである。カードが抜かれるとカード引抜イベントが発生する。そしてこのイベントによって行われる処理では、現在画像ビューアのアイコンを表示中であるならば表示を止め（Ｓ１２−１２）、前述のUp/Downリストに画像ビューアが登録されている場合にはリストから削除する（Ｓ１２−１３）。
【００７３】
（現在コンテンツ表）
次にUp/Downリストに画像ビューアが登録されている状態で、ユーザーがメニューキーを押し、図４ｂのメニューを表示し、さらに番組ガイド−＞現在コンテンツと選択・決定を行った場合の処理を示す。
【００７４】
図１５ａは現在コンテンツ表示画面の初期状態を示した図であり、図１５ｂはユーザーがカーソルを下方向に操作してスクロールさせた様子を示している。図中詳しく記述しないが番組A〜Kの部分には前述のデマルチプレクサ、データストリーム処理部を介して取得した番組ガイド情報をもとに、現在放送中の番組の題名、内容、出演者などの情報がそれぞれ表示されている。また、取得した番組ガイド情報に画像データが含まれる場合にはその画像を表示してもよい。ＧＵＩソフトウェアはこのようにUp/Downリストの順番に従って、番組内容を並べて表示する。
【００７５】
そしてUp/Downリストに画像ビューアが登録されている場合、この現在コンテンツ表示画面に画像ビューアのアイコンが表示され、さらに図１４で示した処理に従い、カーソルによって選択された場合には、アイコンがサムネイルアニメーション動作となりメモリカードに保存されている画像データを一定時間毎に順番に読み出して１枚ずつ縮小表示していく（Ｓ１４−３）。
【００７６】
なお、上述した実施形態では図２のリモコンにUp/Downキーという２つペアのキーを例にあげ、表示切り替えの順番を決めるデータをUp/Downリストという名称で説明をしたが、これに限らず例えば「表示送り」キーのようなキー１つでも構わない。
【００７７】
また、上述した実施形態の説明ではUp/Downリストに登録されてUp/Downキーの表示切換サイクルに組み込まれるアプリケーションとして、画像ビューアを例として上げたが、これに限らず図１０ｃのようにブラウザアプリケーションなどでも同様に登録可能であり、またアプリケーション実行中で、かつ一定時間以内であればUp/Downキーの表示切換サイクルに組み込まれることは言うまでもない。
【００７８】
以上詳記したように、本実施形態のテレビジョン信号受信装置によれば、テレビ番組の再生だけでなく、マルチメディア機能などさまざまな機能を有したテレビジョン信号受信装置におけるユーザーインターフェースが改善され、ユーザーの所望の情報選択や操作を単純かつ容易な操作で実現できるようになる。また本実施形態はテレビジョン信号受信装置上でアプリケーションを操作する上での不都合や、テレビ視聴とアプリケーション利用を容易に切り替えられるようにしたことにより新たに発生した不都合を改善するものである。
【００７９】
例えば本実施形態のテレビジョン信号受信装置によれば、テレビ視聴とアプリケーションをUp/Downキーの操作だけで行き来できるようになり、ユーザーがチャンネルを変えるときと同様に、非常にシンプルな操作だけで多機能なテレビ受信装置の機能を操作可能になる。さらに本実施形態では搭載している全てのアプリケーションをUp/Downキーのリストに載せるのではなく、アクティブ（動作中）のアプリケーションを判断しリストに載せるので、利用するつもりのないアプリケーション画面に切り替わることはなく、多くのアプリケーションを搭載した環境でも速く所望の番組やアプリケーションに到達できるようになる効果もある。また、例えばユーザーが利用していないアプリケーションを自動的にリストから外す制御をすることで、長時間利用しているときでも上記メリットを維持することができる効果もある。
【００８０】
さらに本実施形態ではUp/Downキーのみならず現在放送中の番組の一覧と同じ画面で利用中のアプリケーションを示すことで、ユーザーがこれからの時間をテレビ視聴に使うか、アプリケーション利用に使うかを一つの画面を見ながら考え、判断できるようになる。
【００８１】
また本実施形態のテレビジョン信号受信装置によれば、メモリーカードを挿入するだけで、自動的に画像表示アプリケーションが実行されるので、デジタルカメラなどで撮影した画像をテレビ受像機の画面で見ようとするユーザーの操作を大幅に減らすことができる。さらに本実施形態では、ユーザーが一定時間以上テレビを利用している場合は一度アイコン表示を行い、画像表示アプリケーション実行を行うか否かをユーザーに判断させることで、番組視聴中に勝手に画面が切り替わり不愉快な思いをするなどの問題を防ぎながら、操作の簡略化を実現できる。またアプリケーションの実行が選択された場合も先ほどまで視聴中の番組を子画面で表示するよう制御を行うので、視聴中の番組を完全に中断することはない。
【００８２】
さらに予め番組視聴予約がなされた番組に対しては、アイコン表示を止めるので、ユーザーが番組視聴に集中することができる。
【００８３】
また本実施形態では前述のアイコン表示を行う際にメモリーカードの内容を簡易的に表示する処理を行うことで、画面を切り替えることなく、メモリーカードの内容を確認できるようになる。
【００８４】
また、本実施形態のテレビジョン信号受信装置によれば、画像表示アプリケーションを画面全体で実行中に各見本（サムネイル）画像の脇に表示された番号をリモコンで入力することで、カーソルを上下左右に操作することなく簡単に所望の画像を表示させることが可能となる。さらに本実施形態では、同アプリケーションをテレビ子画面と同時表示する際には、番号入力は視聴テレビチャンネル切換動作となるが、この際に画像脇に表示された番号の表示を止めることで、ユーザーの混乱を防ぐことができる。
【００８５】
さらに、本実施形態のテレビジョン信号受信装置によれば、アプリケーションにおいて、リモコンに配置されたカラーキーと同じ配列で、機能メニューを表示し、各カラーボタンが押された際に対応する機能を実行するように制御することで、カーソル上下左右に動かすことなくさまざまな機能処理を行うことができ、アプリケーションを簡単に操作できるようになる。
【００８６】
上記実形態の機能を実現するためのソフトウェアのプログラムコードを供給し、そのシステムあるいは装置のコンピュータ（ＣＰＵあるいはＭＰＵ）に格納されたプログラムに従って動作させることによって実施したものも、本発明の範疇に含まれる。
【００８７】
この場合、上記ソフトウェアのプログラムコード自体が上述した実施形態の機能を実現することになり、そのプログラムコード自体、およびそのプログラムコードをコンピュータに供給するための手段、例えばかかるプログラムコードを格納した記録媒体は本発明を構成する。かかるプログラムコードを記憶する記録媒体としては、例えばフロッピー(登録商標)ディスク、ハードディスク、光ディスク、光磁気ディスク、ＣＤ−ＲＯＭ、磁気テープ、不揮発性のメモリカード、ＲＯＭ等を用いることができる。
【００８８】
なお、上記実施形態は、何れも本発明を実施するにあたっての具体化のほんの一例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００８９】
【図１】本発明の一実施形態におけるテレビ受像機の構成を示すブロック図である。
【図２】本実施形態のテレビ受像機のリモコンを示すブロック図である。
【図３】ＣＰＵで動作するソフトウェアの構成を示す図である。
【図４】テレビ視聴中の画面の表示例、リモコンのメニューキーを押した場合の表示例、メニュー表示状態で操作を行った場合の表示例を示した図である。
【図５】画像ビューア・アプリケーションの単独モードにおける処理の流れを示すフローチャートである。
【図６】画像ビューア・アプリケーションの単独モードにおけるサムネイル表示および一枚（スライド）表示の例を示した図である。
【図７】画像ビューア・アプリケーションのサムネイル表示および一枚（スライド）表示状態で機能メニューを表示させたときの例を示す図である。
【図８】画像ビューア・アプリケーションの同時表示モードにおけるサムネイル表示および一枚（スライド）表示の例を示した図である。
【図９】画像ビューア・アプリケーションの同時表示モードにおける処理の流れを示すフローチャートである。
【図１０】Up/Downリストの内容と、その変化を示した図である。
【図１１】Up/Downリスト更新用タイマーイベントで起動される、Up/Downリスト更新処理を示したフローチャートである。
【図１２】メモリカードが挿入された場合の処理と、抜かれた場合の処理を示したフローチャートである。
【図１３】テレビ視聴画面に画像ビューアアイコンが表示された様子を示した図である。
【図１４】画像ビューアアイコンの表示処理を示したフローチャートである。
【図１５】現在コンテンツ画面の表示例を示した図である。
【図１６】画像ビューア・アプリケーションの単独モードにおけるスライド（一枚）画面での機能メニューの表示内容を示した図である。
【図１７】画像ビューア・アプリケーションにおける機能メニュー表示処理を示したフローチャートである。
【符号の説明】
【００９０】
１００  デジタルテレビ受信装置
１０１  チューナ部
１０２  デスクランブラ
１０３  デマルチプレクサ
１０４  ビデオデコーダ
１０５  オーディオデコーダ
１０６  データストリーム処理部
１０７  メモリ
１０８  画面構成部
１０９  表示制御部
１１０  ＤＡＣ
１１２  画像表示部
１１３  音声出力部
１１４  操作部
１１５  受光部
１１６  リモコン
１１７  ＩＣカード制御部
１１８  ＣＰＵ
１２１  モデム
１２２  １３９４インタフェース
１２３  ハードディスク
１２４  拡張カードスロット
２０１  ＶＴＲ
２０２  プリンタ
【図１】
2008193731.tif 000003
【図２】
2008193731.tif 000004
【図３】
2008193731.tif 000005
【図４】
2008193731.tif 000006
【図５】
2008193731.tif 000007
【図６】
2008193731.tif 000008
【図７】
2008193731.tif 000009
【図８】
2008193731.tif 000010
【図９】
2008193731.tif 000011
【図１０】
2008193731.tif 000012
【図１１】
2008193731.tif 000013
【図１２】
2008193731.tif 000014
【図１３】
2008193731.tif 000015
【図１４】
2008193731.tif 000016
【図１５】
2008193731.tif 000017
【図１６】
2008193731.tif 000018
【図１７】
2008193731.tif 000019